(57)【要約】      （修正有）【課題】手軽にカメラ付き携帯通信端末に取り付けることができ、カメラにより印象的な映像を取得できるカメラ付き携帯通信端末用外付けミラーを提供する。【解決手段】カメラ付き携帯通信端末９０用外付けミラー１０は、カメラ付き携帯通信端末９０の筐体面９２に対して略平行に、かつ、筐体面９２に露出するカメラの一部９４の近くに設置する設置部２０と、設置部２０から略垂直に延びており、光を反射する鏡面が形成されているミラー本体部３０と、を有する。【選択図】図１
0003232345.tif 000002
【実用新案登録請求の範囲】
【請求項１】
カメラ付き携帯通信端末用外付けミラーであって、
前記カメラ付き携帯通信端末の筐体面に対して略平行に、かつ、前記筐体面に露出するカメラの一部の近くに設置する設置部と、
前記設置部から前記カメラの視野内に延びており、光を反射する鏡面が形成されているミラー本体部と、を有する外付けミラー。
【請求項２】
前記設置部と前記ミラー本体部とは、互いの端部が接続する略L字状をなし、
前記ミラー本体部の前記鏡面は、前記ミラー本体部に直交する方向に関して、前記設置部がある側とは反対側からの光を反射する請求項１に記載の外付けミラー。
【請求項３】
前記設置部および前記ミラー本体部に対して略垂直に延びており、前記設置部と前記ミラー本体部とを接続する接続部を有する請求項１または請求項２に記載の外付けミラー。
【請求項４】
略直三角柱状の外形状を有しており、
前記設置部が前記直三角柱の３つの側面のうちの１つである第１側面を構成し、前記ミラー本体部が前記３つの側面のうちの他の１つである第２側面を構成し、前記接続部が前記直三角柱の２つの底面を構成する請求項３に記載の外付けミラー。
【請求項５】
前記設置部、前記ミラー本体部および前記接続部に囲まれる中空部が形成されており、
前記直三角柱の３つの側面のうちの残りの１つである第３側面には、前記中空部へ通じる開口が形成されている請求項４に記載の外付けミラー。
【請求項６】
前記設置部、前記ミラー本体部および前記接続部に囲まれる中空部が形成されており、
前記直三角柱の３つの側面のうち残りの１つである第３側面は、前記中空部を閉鎖および開放可能な蓋である請求項４に記載の外付けミラー。
【請求項７】
前記設置部は、前記筐体面側を向く設置部外面に形成される粘着層を有する請求項１から請求項６までのいずれかに記載の外付けミラー。
【請求項８】
前記鏡面の表面は、透明の保護層で覆われていることを特徴とする請求項１から請求項７までのいずれかに記載の外付けミラー。
【請求項９】
前記鏡面は、前記ミラー本体部が有する辺のうちで最も長い本体長辺より長い曲率半径を有する湾曲面であることを特徴とする請求項１から請求項８までのいずれかに記載の外付けミラー。
【請求項１０】
前記接続部は、前記設置部に接続する第１辺と、前記ミラー本体部に接続しており前記第１辺に対して略垂直である第２辺と、前記第１辺および前記第２辺より長い第３辺を有する直角三角形の面を形成し、
前記第３辺には、取付部材が係合するための係合部が形成されている請求項２から請求項９までのいずれかに記載の外付けミラー。
【請求項１１】
前記ミラー本体部は、前記設置部に対して略垂直に延びる第１の状態と、前記筐体面に対して略平行であって、前記設置部に形成される切り欠き部に配置される第２の状態との間で、回動可能である請求項１に記載の外付けミラー。
【考案の詳細な説明】
【技術分野】
【０００１】
本考案は、カメラ付き携帯通信端末用外付けミラーに関する。
【背景技術】
【０００２】
スマートフォンなどのカメラ付き携帯通信端末を用いて静止画や動画を撮影し、SNSなどを通じて静止画や動画をアップロードすることが盛んに行われるようになっている。魅力的な静止画や動画を撮影したいというユーザーの要求に応えるように、スマートフォンなどに装備されるカメラも高性能・高機能化が進んでいる。
【０００３】
一方、スマートフォンの外形デザイン自体は、シンプルで薄型の形状が好まれるため、撮影を主な目的とするコンパクトカメラなどとは異なり、光学的な外付けの付属品を取り付けやすい構造にはなっていない。それでも、スマートフォンに搭載されたカメラの撮影時に光学的な効果を与える外付け付属品については、たとえば、偏向フィルターシートに関する提案がある（特許文献１等参照）。
【先行技術文献】
【特許文献】
【０００４】
【特許文献１】実用新案登録第３２０５９６０号明細書
【考案の概要】
【考案が解決しようとする課題】
【０００５】
本考案は、手軽にカメラ付き携帯通信端末に取り付けることができ、そのカメラにより印象的な映像を取得できるカメラ付き携帯通信端末用外付けミラーを提供することである。
【課題を解決するための手段】
【０００６】
本考案に係るカメラ付き携帯通信端末用外付けミラーは、
前記カメラ付き携帯通信端末の筐体面に対して略平行に、かつ、前記筐体面に露出するカメラの一部の近くに設置する設置部と、
前記設置部から前記カメラの視野内に延びており、光を反射する鏡面が形成されているミラー本体部と、を有する。
【０００７】
本考案に係るカメラ付き携帯通信端末用外付けミラーは、設置部を筐体面に直接指で押し付けたりすることにより形態通信端末に対して、容易に取り付けることが可能である。また、本考案に係る外付けミラーは、カメラの視野内に鏡面が配置されることにより、対象物から直接届く光による象と、対象物から出た後に鏡面で反射されてから届く光による象との両方の象を写した印象的な映像を取得できる。
【０００８】
また、たとえば、前記設置部と前記ミラー本体部とは、互いの端部が接続する略L字状をなしてもよく、
前記ミラー本体部の前記鏡面は、前記ミラー本体部に直交する方向に関して、前記設置部がある側とは反対側からの光を反射してもよい。
【０００９】
このような外付けミラーは、設置部をカメラの視野の外に配置し、ミラー本体部の鏡面だけをカメラの視野内に配置する状態で、カメラ付き携帯通信端末に対して容易に設置することができ、印象的な映像を取得できる。
【００１０】
また、たとえば、本考案に係るカメラ付き携帯通信端末用外付けミラーは、前記設置部および前記ミラー本体部に対して略垂直に延びており、前記設置部と前記ミラー本体部とを接続する接続部を有してもよい。
【００１１】
このような接続部を有する外付けミラーは、強度が高く丈夫であるため、耐久性が良好で持ち運びに適している。
【００１２】
また、たとえば、本考案に係るカメラ付き携帯通信端末用外付けミラーは、略直三角柱状の外形状を有してもよく、
前記設置部が前記直三角柱の３つの側面のうちの１つである第１側面を構成してもよく、前記ミラー本体部が前記３つの側面のうちの他の１つである第２側面を構成し、前記接続部が前記直三角柱の２つの底面を構成してもよい。
【００１３】
このような外形状の外付けミラーは、強度が高く丈夫であるため、耐久性が良好で持ち運びに適している。また、矩形である直三角柱の第１側面と第２側面がそれぞれ設置部とミラー本体部となることにより、携帯通信端末への取付性、および操作性が良好であり、カメラの視野の好みの場所に、ミラー本体部の鏡面を配置することができる。
【００１４】
また、たとえば、前記設置部、前記ミラー本体部および前記接続部に囲まれる中空部が形成されていてもよく、
前記直三角柱の３つの側面のうちの残りの１つである第３側面には、前記中空部へ通じる開口が形成されていてもよい。
【００１５】
このような外付けミラーは、中空部が形成されているため軽量で操作しやすい。また、開口が形成されていることにより、中空部に取付部材などを収容することができるとともに、開口から中空部に指を入れて設置部の内面を手で直接触れるなどして、鏡面の位置調整が容易である。
【００１６】
また、たとえば、前記設置部、前記ミラー本体部および前記接続部に囲まれる中空部が形成されていてもよく、
前記直三角柱の３つの側面のうち残りの１つである第３側面は、前記中空部を閉鎖および開放可能な蓋であってもよい。
【００１７】
このような外付けミラーは、中空部に取付部材や細かいパーツなどを収容することができるため、持ち運んで外出先などでの撮影に用いるのに適している。
【００１８】
また、たとえば、前記設置部は、前記筐体面側を向く設置部外面に形成される粘着層を有してもよい。
【００１９】
このような外付けミラーは、粘着層を用いて設置部をカメラ付き携帯端末に対して着脱自在に固定することが可能である。
【００２０】
前記鏡面の表面は、透明の保護層で覆われていてもよい。
【００２１】
このような外付けミラーは、保護層によって鏡面が傷つくことを防止することができる。
【００２２】
また、たとえば、前記鏡面は、前記ミラー本体部が有する辺のうちで最も長い本体長辺より長い曲率半径を有する湾曲面であってもよい。
【００２３】
鏡面は、平坦面であってもよく、湾曲面であってもよいが、湾曲面とすることにより、対象物から直接届く光による象と、対象物から出た後に鏡面で反射されてから届く光による象との差を大きくすることができ、このような鏡面を有する外付けミラーは、さらに特徴的な映像を取得できる。
【００２４】
また、たとえば、前記接続部は、前記設置部に接続する第１辺と、前記ミラー本体部に接続しており前記第１辺に対して略垂直である第２辺と、前記第１辺および前記第２辺より長い第３辺を有する直角三角形の面を形成してもよく、
前記第３辺には、取付部材が係合するための係合部が形成されていてもよい。
【００２５】
このような係合部を有する外付けミラーは、リング状の弾性部材や紐などの取付部材により、容易にカメラ付き携帯通信端末に対して固定することができる。
【００２６】
また、たとえば、前記ミラー本体部は、前記設置部に対して略垂直に延びる第１の状態と、前記筐体面に対して略平行であって、前記設置部に形成される切り欠き部に配置される第２の状態との間で、回動可能であってもよい。
【００２７】
このようなミラー本体部は、撮影に使用しないときは第２の状態とすることにより収納される。そのため、このような外付けミラーは、常時カメラ付き携帯通信端末に装着した状態にしても、端末の操作や持ち運びに支障がない。
【図面の簡単な説明】
【００２８】
【図１】図１は、本考案の第１実施形態に係る外付けミラーを取り付けたカメラ付き携帯通信端末を示す概略斜視図である。
【図２】図２は、図１に示す外付けミラーおよび携帯通信端末の側面図と、外付けミラーの断面図である。
【図３】図３は、図１に示す外付けミラーおよび携帯通信端末を筐体面側から見た平面図である。
【図４】図４は、第２実施形態に係る外付けミラーの断面図である。
【図５】図５は、第３実施形態に係る外付けミラーの断面図である。
【図６】図６は、第４実施形態に係る外付けミラーの断面図である。
【図７】図７は、第５実施形態に係る外付けミラーの断面図である。
【図８】図８は、第６実施形態に係る外付けミラーの鏡面を表す概念図である。
【図９】図９は、第７実施形態に係る外付けミラーの側面図である。
【図１０】図１０は、第８実施形態に係る外付けミラーを取り付けたカメラ付き携帯通信端末を示す概略斜視図である。
【図１１】図１１は、第９実施形態に係る図１に示す外付けミラーおよび携帯通信端末の側面図である。
【図１２】図１２は、第１０実施形態に係る外付けミラーの断面図である。
【図１３】図１３は、第１１実施形態に係る外付けミラーを取り付けたカメラ付き携帯通信端末を示す概念図である。
【図１４】図１４は、図１に示す外付けミラーを取り付けたカメラ付き携帯通信端末で撮影した画像の一例を示す概念図である。
【考案を実施するための形態】
【００２９】
第１実施形態
図１は、本考案の第１実施形態に係るカメラ付き携帯通信端末用外付けミラー１０（以下、単に「外付けミラー１０」という。）を、カメラ付き通信端末９０（以下、単に「通信端末９０」という。）に取り付けた状態を示す斜視図である。図１に示すように、外付けミラー１０は、スマートフォンやタブレットなどのカメラ付き携帯通信端末に取り付けて使用される。
【００３０】
図１に示すように、外付けミラー１０は、通信端末９０の筐体面９２に対して略平行に設置される設置部２０と、設置部２０からカメラの視野内に延びており、光を反射する鏡面３２が形成されているミラー本体部３０とを有する。本実施形態では、ミラー本体部３０は、設置部２０から略垂直に延びているが、ミラー本体部３０と設置部２０との間に形成される挟角θ（図２（ｂ）参照）は、略９０°のみには限定されない。たとえば、ミラー本体部３０と設置部２０との間に形成される挟角θは、４５°から１３５°とすることができる。図１に示すように、設置部２０は、筐体面９２に露出するカメラの一部９４の近くに設置して使用される。筐体面９２は、通信端末９０の内蔵部品または通信端末９０全体を収容するケースや保護部材で構成され、材質としては、金属、樹脂、ガラスなどが挙げられるが、特に限定されない。
【００３１】
なお、図１に示す例では、外付けミラー１０は、通信端末９０においてタッチパネル等が配置される操作表示面９６（図２参照）とは反対側の筐体面９２に露出するカメラの一部９４の近く（アウトカメラの近く）に配置されているが、外付けミラー１０の配置としてはこれに限定されない。たとえば、外付けミラー１０は、図２に示す操作表示面９６側に露出するカメラの一部の近く（インカメラの近く）に配置されてもよく、この場合、設置部２０を操作表示面９６に取り付けて使用してもよい。
【００３２】
図２（ａ）は、図１に示す外付けミラー１０および通信端末９０の側面図である。図２（ａ）に示すように、外付けミラー１０における設置部２０とミラー本体部３０とは、互いの端部が接続する略Ｌ字状をなす。外付けミラー１０の断面図である図２（ｂ）に示すように、ミラー本体部３０の鏡面３２は、ミラー本体部に直交する方向（図２の上下方向）に関して、設置部２０がある側（下側）とは反対側（上側）からの光を反射する。
【００３３】
図２（ｂ）に示すように、鏡面３２の表面は、透明の保護層３４で覆われている。ただし、ミラー本体部３０としてはこれのみには限定されず、鏡面３２が露出する構成であってもかまわない。
【００３４】
また、図２（ｂ）に示すように、設置部２０は、筐体面９２側を向く設置部外面２２に形成される粘着層２６を有する。粘着層２６は、筐体面９２に粘着し、外付けミラー１０全体を、外付けミラー１０に作用する重力に抗して支えられる程度の粘着力を有する。粘着層２６を有することにより、外付けミラー１０および通信端末９０を用いて撮影を行う撮影者は、撮影時において外付けミラー１０を指などで支持する必要がなくなるため、撮影の自由度が向上する。
【００３５】
なお、外付けミラー１０の設置部外面２２には、粘着層２６が形成されていなくてもよい。この場合、設置部外面２２を筐体面９２に対して接触させ、設置部外面２２を筐体面９２に対してスライドさせながら、カメラの一部９４に対する鏡面３２の位置調整を、容易に行うことができる。
【００３６】
図１および図２に示すように、外付けミラー１０は、設置部２０およびミラー本体部３０に対して略垂直に延びており、設置部２０とミラー本体部３０とを接続する接続部４０を有する。図１に示すように、外付けミラー１０は、略直角三角形状であって、互いに略同一の形状を有する２つの接続部４０を有する。
【００３７】
図１に示すように、外付けミラー１０は、略直三角柱状の外形状を有する。設置部２０は、直三角柱の３つの側面のうちの１つである第１側面Ｆ１を構成しする。また、ミラー本体部３０は、直三角柱の３つの側面のうち他の１つである第２側面Ｆ２を構成する。さらに、２つの接続部４０が、直三角柱の２つの底面Ｆ４、Ｆ５を構成する。
【００３８】
このような略直三角柱状の外付けミラー１０は、強度が高く丈夫であるため、耐久性が良好で持ち運びに適している。矩形である直三角柱の第１側面Ｆ１と第２側面Ｆ２が、それぞれ設置部２０とミラー本体部３０となることにより、通信端末９０への取付性、および操作性が良好である。
【００３９】
図１および図２（ｂ）に示すように、外付けミラー１０には、設置部２０、ミラー本体部３０および接続部４０に囲まれる中空部４６が形成されている。また、直三角柱の３つの側面のうち残りの１つである第３側面Ｆ３には、中空部４６へ通じる開口５２が形成されている。特に、外付けミラー１０では、直三角柱の第３側面Ｆ３は全開されており、全く塞がれていない。
【００４０】
図３は、図１に示す外付けミラー１０および通信端末９０を筐体面９２側から見た平面図である。外付けミラー１０のような形状を有していると、たとえば通信端末９０を片手で保持しつつ、保持する手の人差し指で設置部２０の設置部内面２４に触れることができる。したがって、撮影者は、撮影中であっても、外付けミラー１０を筐体面９２上で容易にスライド移動させることができ、思い通りの映像を取得することができる。
【００４１】
図１〜図３に示す外付けミラー１０の材質は特に限定されないが、設置部２０における粘着層２６以外の部分と、ミラー本体部３０における保護層３４、および接続部４０は、樹脂材料、ガラス、その他の材料を用いて作製することができる。ただし、保護層３４以外の部分は、不透明な材料を用いて作製してもよい。
【００４２】
鏡面３２は、金属の薄膜や、平滑な金属材表面などによって作製することができるが、鏡面３２の材質は特に限定されない。鏡面３２の反射率は、特に限定されないが、たとえば３０〜１００％とすることができ、５０〜１００％とすることが好ましい。反射率の高い（例えば８０〜１００％）鏡面３２を用いて、撮影対象物から直接届く光による象と、撮影対象物から出た後に鏡面３２で反射されてから届く光による象との明るさの差を小さくすることができる。
【００４３】
また、これとは反対に、反射率の低い（例えば３０〜８０％）鏡面３２を用いて、撮影対象物から直接届く光による象と、撮影対象物から出た後に鏡面３２で反射されてから届く光による象との明るさの差を大きくしてもよい。なお、保護層３４（図２（ｂ）参照）の光の吸収率を高くしても、撮影対象物から出た後に鏡面３２で反射されてから届く光による象との明るさを暗くすることができる。
【００４４】
図１４は、図１に示す外付けミラー１０を取り付けた通信端末９０で撮影した映像９９の一例を示す概念図である。図１４に示すように、通信端末９０のカメラの撮像素子は、撮影対象物から直接撮像素子に届く光による象（領域Ａ）と、撮影対象物から出た後に鏡面３２で反射されてから届く光による象（領域Ｂ）とを有する映像９９を取得できる。図１４に示すように、撮影対象物９８から直接撮像素子に届く光による象（領域Ａ）と、撮影対象物から出た後に鏡面３２で反射されてから届く光による象（領域Ｂ）は、互いに向き（上下）が反転した鏡面対象の関係になり、通信端末９０のカメラは、いわゆる逆さ富士のような、同じ撮影対象物から、異なる２つのルートを経て届く光の象を取得できる。
【００４５】
また、図２に示す透明な保護層３４を有する外付けミラー１０を用いて撮影すると、図１４に示すように、撮影対象物から直接届く光と、撮影対象物から出た後に鏡面３２で反射されてから届く光とが重複する象（領域Ｃ）を、領域Ａと領域Ｂの間に形成することができる。領域Ｃでは象がぼやけるため、保護層３４の厚みを調整して領域Ｃの範囲を調整することにより、より印象的な映像を取得できる。なお、鏡面３２は、必ずしも図１に示すようにカメラの視野の下方部分に配置する必要はなく、側方や上方、斜め方向など、カメラの一部９４に対して、どのような向きで配置してもよい。
【００４６】
このように、第１実施形態に係る外付けミラー１０は、通信端末９０に対して容易に取り付けることが可能であり、外付けミラー１０を取り付けた通信端末９０により、対象物９８から直接届く光による象と、対象物９８から出た後に鏡面３２で反射されてから届く光による象との両方の象を写した印象的な映像を取得できる。また、設置部２０を通信端末９０の筐体面９２（通信端末のケースの筐体面を含む）に接触させることにより、通信端末９０のカメラに近い位置に鏡面３２を配置させることができるので、カメラの視野の比較的広い範囲に、鏡面３２で反射されてから届く光による象を形成できる。また、設置部２０を通信端末９０の筐体面９２に接触させることにより、安定した状態で、外付けミラー１０を適切な位置に配置することができる。
【００４７】
第２実施形態
図４は、第２実施形態に係る外付けミラー１１０を示す断面図である。第２実施形態に係る外付けミラー１１０は、直三角柱の第３側面Ｆ３に部分壁部１５３が形成されていることを除き、第１実施形態に係る外付けミラー１０と同様である。第２実施形態に係る外付けミラー１１０の説明では、第１実施形態との相違点を中心に説明し、外付けミラー１０との共通点については、説明を省略する。
【００４８】
図４に示すように、外付けミラー１１０は、直三角柱の第３側面Ｆ３に部分壁部１５３が形成されている。部分壁部１５３は、設置部２０と２つの接続部４０に接続しているが、ミラー本体部３０には接続していない。ミラー本体部３０と部分壁部１５３の間には、中空部４６へ通じる開口１５２が形成されている。部分壁部１５３を有することにより、交換用の粘着層２６などを中空部４６に収容した場合において、収容した物が開口１５２から脱落することを防止できる。
【００４９】
このような外付けミラー１１０も、外付けミラー１０との共通部分については、外付けミラー１０と同様の効果を生じる。
【００５０】
第３実施形態
図５は、第３実施形態に係る外付けミラー２１０を示す断面図である。第３実施形態に係る外付けミラー２１０は、直三角柱の第３側面Ｆ３に蓋２５４が形成されていることを除き、第１実施形態に係る外付けミラー１０と同様である。第３実施形態に係る外付けミラー２１０の説明では、第１実施形態との相違点を中心に説明し、外付けミラー１０との共通点については、説明を省略する。
【００５１】
図５に示すように、直三角柱の３つの側面の残りの１つである第３側面Ｆ３は、中空部４６を閉鎖および開放可能な蓋２５４で構成されている。蓋２５４は、図５において点線で示すように、設置部２０との接続部分を中心として回動し、中空部４６を開閉することができる。なお、蓋２５４は、ミラー本体部３０との接続部分を中心として回動してもよく、設置部２０、ミラー本体部３０および接続部４０に対して、着脱自在であってもよい。
【００５２】
図５において実線で示すように、蓋２５４は中空部４６を閉鎖することができ、中空部４６に収容した物が中空部４６から脱落することを防止する。また、図５において点線で示すように、蓋２５４は中空部４６を開放することができ、これにより、中空部４６の内部から、中空部４６に収容した交換用の粘着層２６などを、容易に取り出すことができる。
【００５３】
第３実施形態に係る外付けミラー２１０も、外付けミラー１０との共通部分については、第１実施形態に係る外付けミラー１０と同様の効果を生じる。
【００５４】
第４、第５実施形態
図６は、第４実施形態に係る外付けミラー３１０を示す断面図であり、図７は、第５実施形態に係る外付けミラー４１０を示す断面図である。第４および第５実施形態に係る外付けミラー３１０、４１０は、鏡面３３２、４３２が湾曲面であることを除き、第１実施形態に係る外付けミラー１０と同様である。第４、第５実施形態に係る外付けミラー３１０、４１０の説明では、第１実施形態に係る外付けミラー１０との相違点を中心に説明し、外付けミラー１０との共通点については、説明を省略する。
【００５５】
図６に示すように、外付けミラー３１０におけるミラー本体部３３０の鏡面３３２は、反射方向（図６上方）に対して凹面となる湾曲面となっている。鏡面３３２が形成する湾曲面の曲率半径は、特に限定されないが、たとえば、ミラー本体部３３０が有する辺のうちで最も長い本体長辺（図１に示す本体長辺３６と同様）より長い曲率半径を有する。
【００５６】
一方、図７に示すように、外付けミラー４１０におけるミラー本体部４３０の鏡面４３２は、反射方向（図７上方）に対して凸面となる湾曲面となっている。鏡面４３２が形成する湾曲面の曲率半径は、特に限定されないが、たとえば、ミラー本体部４３０が有する辺のうちで最も長い本体長辺（図１に示す本体長辺３６と同様）より長い曲率半径を有する。
【００５７】
図６や図５に示すように、湾曲面となっている鏡面３３２、４３２を有する外付けミラー３１０、４１０を用いることにより、撮影対象物から出た後に鏡面３３２、４３２で反射されてからカメラに届く光による象を、対象物から直接届く光による象に対して歪ませることができる。したがって、図６および図７に示す外付けミラー３１０、４１０は、対象物から直接届く光による象と、鏡面３３２、４３２で反射することにより歪んだ象との両方を写した印象的な映像を取得できる。
【００５８】
なお、図６および図７に示す外付けミラー３１０、４１０の場合、ミラー本体部３３０、４３０と設置部２０との間に形成される挟角θは、ミラー本体部３３０、４３０の基端および先端を通る仮想面と、設置部２０との間に形成される角度で規定される。第４および第５実施形態に係る外付けミラー３１０、４１０も、外付けミラー１０との共通部分については、第１実施形態に係る外付けミラー１０と同様の効果を生じる。
【００５９】
第６実施形態
図８は、第６実施形態に係る外付けミラー５１０のミラー本体部５３０を、鏡面５３２の反射方向から見た状態を示す概念図である。第６実施形態に係る外付けミラー５１０は、鏡面５３２または保護層５３４に図柄５３３が形成されている点を除き、第１実施形態に係る外付けミラー１０と同様である。第６実施形態に係る外付けミラー５１０の説明では、第１実施形態に係る外付けミラー1０との相違点を中心に説明し、外付けミラー１０との共通点については、説明を省略する。
【００６０】
図８に示すように、外付けミラー５１０では、鏡面５３２の表面または保護層５３４（断面図である図２（ｂ）の保護層３４と同様）に、図柄５３３が形成されている。図柄５３３は、少なくとも一部の波長領域の可視光を吸収し、鏡面５３２の反射方向から視認される。図柄５３３は、プリントや彫刻により、鏡面５３２や保護層５３４に形成されるが、図柄５３３の形成方法は特に限定されない。
【００６１】
鏡面５３２または保護層５３４に形成される図柄５３３としては、人物、キャラクター、木、花、幾何学模様などが挙げられるが、特に限定されない。また、鏡面５３２または保護層５３４には、図柄５３３に代えて、または、図柄５３３と一緒に、文字が形成されていてもよい。
【００６２】
図８に示すように、鏡面５３２または保護層５３４に形成される図柄５３３は、ミラー本体部５３０における設置部２０に接続する側を上方（空側）とするものであってもよい。図２に示す外付けミラー１０と同様に、カメラの一部９４の下方に外付けミラー５１０を配置して撮影を行うと、図１４から理解できるように、鏡面５３２は、設置部２０に近い側で、対象物の上方（空側）からの光を反射するからである。
【００６３】
第６実施形態に係る外付けミラー５１０も、外付けミラー１０との共通部分については、第１実施形態に係る外付けミラー１０と同様の効果を生じる。
【００６４】
その他の実施形態
本考案は上述した実施形態のみには限定されず、上述した実施形態の他にも、多くの他の実施形態に係る外付けミラーが、本考案に係る外付けミラーの技術的範囲に含まれることは言うまでもない。例えば、図９に示す外付けミラー６１０（第７実施形態）のように、吸盤状の取付け部５７２を有する実施形態が挙げられる。外付けミラー６１０は、設置部６２０とミラー本体部３０とが、互いの端部が接続するL字状をなす。設置部６２０には、ミラー本体部３０に接続する端部とは反対側の端部から突出する取付部材６７２が接続する。
【００６５】
図９に示す外付けミラー６１０は、取付部材６７２の吸盤を、通信端末９０の筐体面９２に吸着させることにより、筐体面９２に固定される。なお、第７実施形態に係る外付けミラー６１０も、外付けミラー１０との共通部分については、第１実施形態に係る外付けミラー１０と同様の効果を生じる。
【００６６】
図１０は、本考案の第８実施形態に係る外付けミラー７１０を通信端末９０の筐体面９２に取り付けた状態を示す概念図である。外付けミラー７１０は、略直方体の外形状を有するが、設置部２０およびミラー本体部３０については、図１に示す外付けミラー１０と同様である。
【００６７】
図１０に示すように、外付けミラー７１０は、２つの接続部７４０が略矩形である。また、外付けミラー７１０は、ミラー本体部３０に対向しており、２つの接続部７４０を接続する対向部７６０を有する。外付けミラー７１０には、設置部２０、ミラー本体部３０、接続部７４０および対向部７６０に囲まれる中空部７４６が形成されている。外付けミラー７１０の中空部７４６は、三角柱状の外付けミラーに形成される中空部４６に比べて容積が大きく、交換用の粘着層や取付部材を収容する能力が高い。図１０に示すような略直方体の外付けミラー７１０についても、外付けミラー１０との共通部分については、第１実施形態に係る外付けミラー１０と同様の効果を生じる。
【００６８】
図１１は、本考案の第９実施形態に係る外付けミラー８１０を通信端末９０の筐体面９２に取り付けた状態を示す概念図である。外付けミラー８１０は、設置部８２０が粘着層を有しないことと、接続部８４０に係合部８４４が形成されており、リンク状弾性部材である取付部材８７２を用いて通信端末９０に取り付けられる点で、図１に示す外付けミラー１０とは異なる。ただし、外付けミラー８１０のその余の部分は、外付けミラー１０と同様である。
【００６９】
図１１に示すように、外付けミラー８１０は、図１に示す外付けミラー１０と同様に、略直三角柱状の外形状を有する。接続部８４０は、設置部８２０に接続する第１辺８４１と、ミラー本体部３０に接続しており第１辺８４１に対して略垂直である第２辺８４２と、第１辺８４１および第２辺８４２より長い第３辺８４３を有する略直角三角形の面を形成する。
【００７０】
第３辺８４３には、取付部材８７２が係合するための係合部８４４が形成されている。係合部８４４には、図１１に示すように、リンク状弾性部材である取付部材８７２が係合する。取付部材８７２は、外付けミラー８１０と、通信端末９０とを、リング内部に挿通させた状態で使用され、外付けミラー８１０の設置部８２０を、通信端末９０の筐体面９２に弾性的に押し付けることにより、外付けミラー８１０を通信端末９０に固定する。
【００７１】
取付部材８７２は、たとえばゴムやエラストマーのような、弾性のある材料により形成される。また、係合部８４４は、図１１に示すような切り欠き状のものに限定されず、突起その他の形状であってもよい。図１１に示すような外付けミラー８１０についても、外付けミラー１０との共通部分については、第１実施形態に係る外付けミラー１０と同様の効果を生じる。
【００７２】
図１２は、本考案の第１０実施形態に係る外付けミラー９１０の断面図である。外付けミラー９１０は、中実の略三角柱状の外形状を有しており、設置部９２０が、接続部を兼ねている。設置部９２０の１つの表面には粘着層９２６が形成されており、外付けミラー９１０は、粘着層９２６を介して通信端末９０の筐体面９２（図１参照）に取り付けられる。
【００７３】
図１２に示す外付けミラー９１０は、図１に示す外付けミラー１０とは異なり中空部を有さないので、取付部材などを内部に収容することはできないが、中実であるため、耐衝撃性に優れている。その他、図１２に示すような外付けミラー９１０は、外付けミラー１０との共通部分については、第１実施形態に係る外付けミラー１０と同様の効果を生じる。
【００７４】
図１３（ａ）は、本考案の第１１実施形態に係る外付けミラー１１１０の概略斜視図である、図１３（ｂ）は、外付けミラー１１１０のミラー本体部１１３０が第１の状態である概略断面図であり、図１３（ｃ）は、外付けミラー１１１０のミラー本体部１１３０が第２の状態である概略断面図である。
【００７５】
図１３（ａ）に示すように、外付けミラー１１１０は、設置部１１２０と、ミラー本体部１１３０と、設置部１１２０の外周を囲む枠部１１２９とを有する。設置部１１２０と枠部１１２９とは、通信端末９０を収容する収容部を構成しており、外付けミラー１１１０は、通信端末９０の収容ケースを兼ねている。なお、設置部１１２０には、カメラの一部９４との干渉を避け、撮影光を通過させる貫通孔１１２５が形成されている。
【００７６】
図１３（ｂ）および図１３（ｃ）に示すように、ミラー本体部１１３０は、設置部１１２０に対して略垂直に延びる第１の状態（図１３（ｂ）参照）と、筐体面９２に対して略平行であって、設置部１１２０に形成される切り欠き部１１２７に配置される第２の状態（図１３（ｃ）参照）との間で、回動可能である。
【００７７】
図１３（ｂ）に示すように、ミラー本体部１１３０が設置部１１２０に対して略垂直に延びる第１の状態では、鏡面３２が通信端末９０のカメラの視野内に配置される。これにより、ミラー本体部１１３０を取り付けた通信端末９０により、図１に示す外付けミラー１０を取り付けた場合と同様に、図１４に示すような映像を取得することができる。
【００７８】
一方、図１３（ｃ）に示すように、ミラー本体部１１３０が筐体面９２に対して略平行に延びる第２の状態では、ミラー本体部１１３０は、設置部１１２０に形成される切り欠き部１１２７に収容される。これにより、第２の状態では、ミラー本体部１１３０が設置部１１２０から突出していないので、通信端末９０の撮影以外の他の操作や、収納および持ち運びに際して、外付けミラー１１１０が邪魔になることを防止できる。また、外付けミラー１１１０は、通信端末９０の収容ケースを兼ねているので、通信端末９０と一緒に、容易に持ち運び、必要に応じて使用することができる。
【００７９】
その他、図１３に示すような外付けミラー１１１０は、外付けミラー１０との共通部分については、第１実施形態に係る外付けミラー１０と同様の効果を生じる。
【符号の説明】
【００８０】
１０、１１０、２１０、３１０、４１０、５１０、６１０、７１０、８１０、９１０、１１１０…外付けミラー
２０、６２０、８２０、９２０、１１２０…設置部
２２…設置部外面
２４…設置部内面
２６、９２６…粘着層
３０、３３０、４３０、５３０、１１３０…ミラー本体部
３２、３３２、４３２、５３２…鏡面
３４、５３４…保護層
３６…本体長辺
４０、７４０、８４０…接続部
４６…中空部
Ｆ１…第１側面
Ｆ２…第２側面
Ｆ３…第３側面
５２、１５２…開口
Ｆ４、Ｆ５…底面
９０…カメラ付き携帯通信端末
９２…筐体面
９４…カメラの一部
９６…操作表示面
９８…対象物
１５３…部分壁部
２５４…蓋
５３３…図柄
６７２、８７２…取付部材
７６０…対向部
８４１…第１辺
８４２…第２辺
８４３…第３辺
８４４…係合部
１１２７…切り欠き部
１１２５…貫通孔
１１２９…枠部
【図１】
0003232345.tif 000003
【図２】
0003232345.tif 000004
【図３】
0003232345.tif 000005
【図４】
0003232345.tif 000006
【図５】
0003232345.tif 000007
【図６】
0003232345.tif 000008
【図７】
0003232345.tif 000009
【図８】
0003232345.tif 000010
【図９】
0003232345.tif 000011
【図１０】
0003232345.tif 000012
【図１１】
0003232345.tif 000013
【図１２】
0003232345.tif 000014
【図１３】
0003232345.tif 000015
【図１４】
0003232345.tif 000016
【手続補正書】
【提出日】令和3年4月1日(2021.4.1)
【手続補正１】
【補正対象書類名】実用新案登録請求の範囲
【補正対象項目名】全文
【補正方法】変更
【補正の内容】
【実用新案登録請求の範囲】
【請求項１】
カメラ付き携帯通信端末用外付けミラーであって、
前記カメラ付き携帯通信端末の筐体面に対して略平行に、かつ、前記筐体面に露出するカメラの一部の近くに設置する設置部と、
前記設置部から前記カメラの視野内に延びており、光を反射する鏡面が形成されているミラー本体部と、を有する外付けミラー。
【請求項２】
前記設置部と前記ミラー本体部とは、互いの端部が接続する略L字状をなし、
前記ミラー本体部の前記鏡面は、前記ミラー本体部に直交する方向に関して、前記設置部がある側とは反対側からの光を反射する請求項１に記載の外付けミラー。
【請求項３】
前記設置部および前記ミラー本体部に対して略垂直に延びており、前記設置部と前記ミラー本体部とを接続する接続部を有する請求項１または請求項２に記載の外付けミラー。
【請求項４】
略直三角柱状の外形状を有しており、
前記設置部が前記直三角柱の３つの側面のうちの１つである第１側面を構成し、前記ミラー本体部が前記３つの側面のうちの他の１つである第２側面を構成し、前記接続部が前記直三角柱の２つの底面を構成する請求項３に記載の外付けミラー。
【請求項５】
前記設置部、前記ミラー本体部および前記接続部に囲まれる中空部が形成されており、
前記直三角柱の３つの側面のうちの残りの１つである第３側面には、前記中空部へ通じる開口が形成されている請求項４に記載の外付けミラー。
【請求項６】
前記設置部、前記ミラー本体部および前記接続部に囲まれる中空部が形成されており、
前記直三角柱の３つの側面のうち残りの１つである第３側面は、前記中空部を閉鎖および開放可能な蓋である請求項４に記載の外付けミラー。
【請求項７】
前記設置部は、前記筐体面側を向く設置部外面に形成される粘着層を有する請求項１から請求項６までのいずれかに記載の外付けミラー。
【請求項８】
前記鏡面の表面は、透明の保護層で覆われていることを特徴とする請求項１から請求項７までのいずれかに記載の外付けミラー。
【請求項９】
前記鏡面は、前記ミラー本体部が有する辺のうちで最も長い本体長辺より長い曲率半径を有する湾曲面であることを特徴とする請求項１から請求項８までのいずれかに記載の外付けミラー。
【請求項１０】
前記接続部は、前記設置部に接続する第１辺と、前記ミラー本体部に接続しており前記第１辺に対して略垂直である第２辺と、前記第１辺および前記第２辺より長い第３辺を有する直角三角形の面を形成し、
前記第３辺には、取付部材が係合するための係合部が形成されている請求項３から請求項６までのいずれかに記載の外付けミラー。
【請求項１１】
前記ミラー本体部は、前記設置部に対して略垂直に延びる第１の状態と、前記筐体面に対して略平行であって、前記設置部に形成される切り欠き部に配置される第２の状態との間で、回動可能である請求項１に記載の外付けミラー。